(57)【要約】【課題】作業支援をする情報処理の切り替えを容易にすることである。【解決手段】電子棚札装置３０Ａ，３０Ｂは、タッチ入力のタイミングを示すタッチタイミング情報と、医薬品に関する作業を支援する情報処理の種類と、を対応付けて記憶し、検出手段により検出されたタッチ入力のタイミングと、前記記憶されているタイミング情報とが一致するか否かを判別し、一致する場合に、当該タイミング情報に対応する前記情報処理の種類に応じた情報処理を実行する。【選択図】図１
2010224747.tif 000002
【特許請求の範囲】
【請求項１】
医薬品に関する情報を表示する表示手段を有する電子棚札装置であって、
タッチ入力のタイミングを示すタッチタイミング情報と、医薬品に関する作業を支援する情報処理の種類と、を対応付けて記憶するタイミング情報記憶手段と、
タッチ入力を検出する検出手段と、
前記検出手段により検出されたタッチ入力のタイミングと、前記タイミング情報記憶手段に記憶されているタイミング情報とが一致するか否かを判別し、一致する場合に、当該タイミング情報に対応して前記タイミング情報記憶手段に記憶される情報処理の種類に応じた情報処理を実行する制御手段と、
を備えることを特徴とする電子棚札装置。
【請求項２】
電子棚札装置を管理するサーバ装置から、前記表示手段の表示色を情報処理に対応する色に変更する指示情報を受信する指示情報受信手段を備え、
前記制御手段は、前記指示情報受信手段により受信された指示情報に応じて、前記表示手段の表示色を変更し、当該表示色を変更している場合に、前記検出手段によりタッチ入力が検出されると、前記表示手段の表示色を元の色に変更することを特徴とする請求項１に記載の電子棚札装置。
【請求項３】
前記表示手段の表示色の変更中の前記検出手段へのタッチ入力に応じて、情報処理の完了を示す完了情報を前記サーバ装置に送信する完了情報送信手段を備えることを特徴とする請求項２に記載の電子棚札装置。
【請求項４】
前記情報処理は、医薬品の補充又は処方の情報処理であることを特徴とする請求項２又は３に記載の電子棚札装置。
【請求項５】
電子棚札装置を管理するサーバ装置から、医薬品の在庫量と、当該在庫量から前記医薬品の納期及び平均使用量の乗算値を減算した管理在庫量と、前記医薬品の発注単位とを受信する在庫量受信手段を備え、
前記制御手段は、前記在庫量受信手段により受信された在庫量、管理在庫量及び発注単位を前記表示手段に表示させ、前記検出手段へのタッチ入力により情報処理の種類としての発注モードに変更されると、前記検出手段へのタッチ入力に応じて、当該タッチ入力の回数と前記発注単位との乗算値である発注量を算出し、
前記制御手段により算出された発注量を前記サーバ装置に送信する発注量送信手段を備えることを特徴とする請求項１から４のいずれか一項に記載の電子棚札装置。
【請求項６】
医薬品に関する情報を表示する電子棚札装置を管理するサーバ装置であって、
医薬品を識別する医薬品識別子と、電子棚札装置を識別する棚札識別子とを対応付けて記憶する識別子記憶手段と、
医薬品に関する作業を支援する情報処理の対象の医薬品の医薬品識別子に対応する前記識別子記憶手段に記憶されている棚札識別子を取得する制御手段と、
前記制御手段により取得された棚札識別子に対応する電子棚札装置に、当該電子棚札装置の表示手段の表示色を前記情報処理に対応する色に変更するための指示情報を送信する指示情報送信手段と、
を備えることを特徴とするサーバ装置。
【請求項７】
情報処理の完了を示す完了情報を前記電子棚札装置から受信する完了情報受信手段を備え、
前記制御手段は、前記完了情報受信手段により完了情報が受信されると、当該完了情報に応じた処理を行うことを特徴とする請求項６に記載のサーバ装置。
【請求項８】
医薬品の在庫量を記憶する在庫量記憶手段を備え、
前記情報処理は、医薬品の補充又は処方の情報処理であり、
前記制御手段は、前記完了情報が受信されると、当該完了情報に対応する医薬品の補充又は処方に応じて前記在庫量記憶手段に記憶されている在庫量を変更することを特徴とする請求項７に記載のサーバ装置。
【請求項９】
医薬品の在庫量を記憶する在庫量記憶手段を備え、
前記制御手段は、前記在庫量記憶手段に記憶された医薬品の在庫量から当該医薬品の納期及び平均使用量の乗算値を減算した管理在庫量を算出し、
前記在庫量記憶手段に記憶されている医薬品の在庫量、前記算出された在庫量及び当該医薬品の発注単位を、当該医薬品の医薬品識別子に対応する棚札識別子の電子棚札装置に送信する在庫量送信手段と、
前記電子棚札装置から医薬品の発注量を受信する発注量受信手段と、を備え、
前記制御手段は、前記発注量受信手段により受信された発注量の医薬品の発注処理を行うことを特徴とする請求項６又は７に記載のサーバ装置。
【請求項１０】
医薬品に関する情報を表示する表示手段を有する電子棚札装置に搭載されたコンピュータを、
タッチ入力のタイミングを示すタッチタイミング情報と、医薬品に関する作業を支援する情報処理の種類と、を対応付けて記憶するタイミング情報記憶手段、
タッチ入力を検出する検出手段、
前記検出手段により検出されたタッチ入力のタイミングと、前記タイミング情報記憶手段に記憶されているタイミング情報とが一致するか否かを判別し、一致する場合に、当該タイミング情報に対応して前記タイミング情報記憶手段に記憶される情報処理の種類に応じた情報処理を実行する制御手段、
として機能させるためのプログラム。
【請求項１１】
医薬品に関する情報を表示する電子棚札装置を管理するサーバ装置に搭載されたコンピュータを、
医薬品を識別する医薬品識別子と、電子棚札装置を識別する棚札識別子とを対応付けて記憶する識別子記憶手段、
医薬品に関する作業を支援する情報処理の対象の医薬品の医薬品識別子に対応する前記識別子記憶手段に記憶されている棚札識別子を取得する制御手段、
前記制御手段により取得された棚札識別子に対応する電子棚札装置に、当該電子棚札装置の表示手段の表示色を前記情報処理に対応する色に変更するための指示情報を送信する指示情報送信手段、
として機能させるためのプログラム。
【発明の詳細な説明】
【技術分野】
【０００１】
本発明は、電子棚札装置と、電子棚札装置の管理を行うサーバ装置と、プログラムと、に関する。
【背景技術】
【０００２】
従来、調剤薬局において、薬品棚に医薬品が陳列され、その医薬品に関する様々な作業が薬局員によりなされていた。例えば、患者の処方箋に応じて、薬局員が医薬品を薬品棚から取り出して患者に処方・販売する処方作業がなされていた。他にも、薬品棚に補充する医薬品の発注作業、薬品棚の医薬品の在庫量を確認する作業（棚卸作業）等がなされていた。
【０００３】
また、処方作業における医薬品検索は、薬品棚の医薬品と処方箋とを見比べてなされるため、薬局員の作業負担が大きく、また作業の慣れが要求される。この処方作業を支援するため、薬品棚に設けられ複数の医薬品の収納区画を別々に発光可能な表示装置と、この表示装置に接続されたコンピュータとを設け、このコンピュータに処方データを入力し、このコンピュータにより前記処方データに対応する医薬品の収納区画が発光制御されるシステムが知られている（例えば、特許文献１参照）。薬局員は、処方箋に対応する医薬品を、発光している収納区画から取り出す。
【先行技術文献】
【特許文献】
【０００４】
【特許文献１】特開２００２−１７８２１号公報
【発明の概要】
【発明が解決しようとする課題】
【０００５】
しかし、処方作業だけでなく、医薬品に関する他の作業についても作業支援の要請があり、医薬品に関する作業を支援する情報処理の切り替えを容易にする要請があった。
【０００６】
本発明の課題は、作業支援をする情報処理の切り替えを容易にすることである。
【課題を解決するための手段】
【０００７】
上記課題を解決するために、請求項１に記載の発明の電子棚札装置は、医薬品に関する情報を表示する表示手段を有する電子棚札装置であって、タッチ入力のタイミングを示すタッチタイミング情報と、医薬品に関する作業を支援する情報処理の種類と、を対応付けて記憶するタイミング情報記憶手段と、タッチ入力を検出する検出手段と、前記検出手段により検出されたタッチ入力のタイミングと、前記タイミング情報記憶手段に記憶されているタイミング情報とが一致するか否かを判別し、一致する場合に、当該タイミング情報に対応して前記タイミング情報記憶手段に記憶される情報処理の種類に応じた情報処理を実行する制御手段と、を備えることを特徴とする。
【０００８】
請求項２に記載の発明は、請求項１に記載の電子棚札装置において、電子棚札装置を管理するサーバ装置から、前記表示手段の表示色を情報処理に対応する色に変更する指示情報を受信する指示情報受信手段を備え、前記制御手段は、前記指示情報受信手段により受信された指示情報に応じて、前記表示手段の表示色を変更し、当該表示色を変更している場合に、前記検出手段によりタッチ入力が検出されると、前記表示手段の表示色を元の色に変更することを特徴とする。
【０００９】
請求項３に記載の発明は、請求項２に記載の電子棚札装置において、前記表示手段の表示色の変更中の前記検出手段へのタッチ入力に応じて、情報処理の完了を示す完了情報を前記サーバ装置に送信する完了情報送信手段を備えることを特徴とする。
【００１０】
請求項４に記載の発明は、請求項２又は３に記載の電子棚札装置において、前記情報処理は、医薬品の補充又は処方の情報処理であることを特徴とする。
【００１１】
請求項５に記載の発明は、請求項１から４のいずれか一項に記載の電子棚札装置において、電子棚札装置を管理するサーバ装置から、医薬品の在庫量と、当該在庫量から前記医薬品の納期及び平均使用量の乗算値を減算した管理在庫量と、前記医薬品の発注単位とを受信する在庫量受信手段を備え、前記制御手段は、前記在庫量受信手段により受信された在庫量、管理在庫量及び発注単位を前記表示手段に表示させ、前記検出手段へのタッチ入力により情報処理の種類としての発注モードに変更されると、前記検出手段へのタッチ入力に応じて、当該タッチ入力の回数と前記発注単位との乗算値である発注量を算出し、前記制御手段により算出された発注量を前記サーバ装置に送信する発注量送信手段を備えることを特徴とする。
【００１２】
請求項６に記載の発明のサーバ装置は、医薬品に関する情報を表示する電子棚札装置を管理するサーバ装置であって、医薬品を識別する医薬品識別子と、電子棚札装置を識別する棚札識別子とを対応付けて記憶する識別子記憶手段と、医薬品に関する作業を支援する情報処理の対象の医薬品の医薬品識別子に対応する前記識別子記憶手段に記憶されている棚札識別子を取得する制御手段と、前記制御手段により取得された棚札識別子に対応する電子棚札装置に、当該電子棚札装置の表示手段の表示色を前記情報処理に対応する色に変更するための指示情報を送信する指示情報送信手段と、を備えることを特徴とする。
【００１３】
請求項７に記載の発明は、請求項６に記載のサーバ装置において、情報処理の完了を示す完了情報を前記電子棚札装置から受信する完了情報受信手段を備え、前記制御手段は、前記完了情報受信手段により完了情報が受信されると、当該完了情報に応じた処理を行うことを特徴とする。
【００１４】
請求項８に記載の発明は、請求項７に記載のサーバ装置において、医薬品の在庫量を記憶する在庫量記憶手段を備え、前記情報処理は、医薬品の補充又は処方の情報処理であり、前記制御手段は、前記完了情報が受信されると、当該完了情報に対応する医薬品の補充又は処方に応じて前記在庫量記憶手段に記憶されている在庫量を変更することを特徴とする。
【００１５】
請求項９に記載の発明は、請求項６又は７に記載のサーバ装置において、医薬品の在庫量を記憶する在庫量記憶手段を備え、前記制御手段は、前記在庫量記憶手段に記憶された医薬品の在庫量から当該医薬品の納期及び平均使用量の乗算値を減算した管理在庫量を算出し、前記在庫量記憶手段に記憶されている医薬品の在庫量、前記算出された在庫量及び当該医薬品の発注単位を、当該医薬品の医薬品識別子に対応する棚札識別子の電子棚札装置に送信する在庫量送信手段と、前記電子棚札装置から医薬品の発注量を受信する発注量受信手段と、を備え、前記制御手段は、前記発注量受信手段により受信された発注量の医薬品の発注処理を行うことを特徴とする。
【００１６】
請求項１０に記載の発明のプログラムは、医薬品に関する情報を表示する表示手段を有する電子棚札装置に搭載されたコンピュータを、タッチ入力のタイミングを示すタッチタイミング情報と、医薬品に関する作業を支援する情報処理の種類と、を対応付けて記憶するタイミング情報記憶手段、タッチ入力を検出する検出手段、前記検出手段により検出されたタッチ入力のタイミングと、前記タイミング情報記憶手段に記憶されているタイミング情報とが一致するか否かを判別し、一致する場合に、当該タイミング情報に対応して前記タイミング情報記憶手段に記憶される情報処理の種類に応じた情報処理を実行する制御手段、として機能させる。
【００１７】
請求項１１に記載の発明のプログラムは、医薬品に関する情報を表示する電子棚札装置を管理するサーバ装置に搭載されたコンピュータを、医薬品を識別する医薬品識別子と、電子棚札装置を識別する棚札識別子とを対応付けて記憶する識別子記憶手段、医薬品に関する作業を支援する情報処理の対象の医薬品の医薬品識別子に対応する前記識別子記憶手段に記憶されている棚札識別子を取得する制御手段、前記制御手段により取得された棚札識別子に対応する電子棚札装置に、当該電子棚札装置の表示手段の表示色を前記情報処理に対応する色に変更するための指示情報を送信する指示情報送信手段、として機能させる。
【発明の効果】
【００１８】
本発明によれば、作業支援をする情報処理の切り替えを容易にすることができる。
【図面の簡単な説明】
【００１９】
【図１】本発明に係る実施の形態の調剤支援システムの構成を示すブロック図である。
【図２】サーバ装置の機能構成を示すブロック図である。
【図３】電子棚札装置の機能構成を示すブロック図である。
【図４】医薬品棚札割当テーブルの構成を示す図である。
【図５】医薬品情報テーブルの構成を示す図である。
【図６】タッチ設定テーブルの構成を示す図である。
【図７】サーバ装置で実行される電子棚札装置管理処理を示すフローチャートである。
【図８】電子棚札装置管理処理の受信処理を示すフローチャートである。
【図９】電子棚札装置で実行される情報表示処理を示すフローチャートである。
【図１０】情報表示処理のタッチ検知処理を示す図である。
【発明を実施するための形態】
【００２０】
以下、添付図面を参照して本発明に係る実施の形態を詳細に説明する。なお、本発明は、図示例に限定されるものではない。
【００２１】
図１〜図３を参照して、本実施の形態の装置構成を説明する。図１に、本実施の形態の調剤支援システム１の構成を示す。
【００２２】
図１を参照して、調剤支援システム１の全体構成を説明する。調剤支援システム１は、調剤薬局内に設置され、電子棚札装置により、薬局員により行われる、医薬品に関する作業を支援するシステムである。
【００２３】
図１に示すように、調剤支援システム１は、サーバ装置１０と、アクセスポイント２０と、電子棚札装置３０Ａ，３０Ｂと、を備える。サーバ装置１０とアクセスポイント２０とは、通信ネットワークＮを介して接続されている。
【００２４】
なお、調剤支援システム１における電子棚札装置の台数は、簡単にするため、２台としたが、この台数に限定されるものではなく、１台又は３台以上としてもよい。
【００２５】
サーバ装置１０は、通信ネットワークＮ及びアクセスポイント２０を介して、電子棚札装置３０Ａ，３０Ｂと通信可能であり、電子棚札装置３０Ａ，３０Ｂの情報表示及び医薬品に関する情報を管理する。通信ネットワークＮは、例えば、ＬＡＮ（Local Area Network）等であり、有線通信の通信ネットワークとするが、無線通信の通信ネットワーク等を含んでいてもよい。
【００２６】
アクセスポイント２０は、有線接続された機器と、無線接続された機器との間の通信の中継器である。アクセスポイント２０は、通信ネットワークＮを介して有線接続されたサーバ装置１０と、無線通信接続された電子棚札装置３０Ａ，３０Ｂとの間の通信を中継する。
【００２７】
電子棚札装置３０Ａ，３０Ｂは、それぞれ、所定の種類の医薬品に対応付けられており、この医薬品の在庫量等の情報を表示する。医薬品は、薬品棚に陳列されており、この薬品棚において、対応する医薬品近傍に電子棚札装置３０Ａ，３０Ｂが設けられているものとする。
【００２８】
また、電子棚札装置３０Ａ，３０Ｂは、対応する医薬品に関する情報を表示するとともに、薬局員の作業を支援するための各種情報処理のモード（情報処理モード）の切り替えや、医薬品の発注量、在庫量の入力を受付け、その入力情報をサーバ装置１０に出力する。
【００２９】
ここで、調剤支援システム１における情報処理モードを説明する。情報処理モードは、通常モードと、付箋モードと、発注モードと、在庫通知モードと、を有する。
【００３０】
通常モードは、他の情報処理モードへ移行するため待機する情報処理のモードである。通常モードでは、電子棚札装置３０Ａ，３０Ｂの表示部は、背景が通常色（例えば、グレー）に表示される。
【００３１】
付箋モードは、伝票モードと、処方箋モードと、を有する。伝票モードは、発注した医薬品の納品の伝票のデータがサーバ装置１０に入力され、その納品された医薬品を薬局員が薬品棚に補充する検品作業を支援する情報処理のモードである。伝票モードにおいて、納品された医薬品に対応する電子棚札装置の表示部は、背景が青色に表示されるものとする。薬局員は、青色に表示されている電子棚札装置に対応する薬品棚に、指示された量の医薬品を補充する。
【００３２】
処方箋モードは、患者の処方箋のデータがサーバ装置１０に入力され、その処方対象の医薬品を薬局員が薬品棚から取り出す処方作業を支援する情報処理のモードである。処方箋モードにおいて、処方対象の医薬品に対応する電子棚札装置の表示部は、背景が赤色に表示されるものとする。薬局員は、赤色に表示されている電子棚札装置に対応する薬品棚から、指示された量の医薬品を取り出す。
【００３３】
発注モードは、薬品棚に補充する医薬品を薬局員が発注する発注作業を支援する情報処理のモードである。発注モードは、通常モード時に、薬局員が電子棚札装置に所定のリズムでタッチ入力することにより移行される。発注モードにおいて、タッチ入力された電子棚札装置の表示部は、背景が緑色に表示されるものとする。薬局員は、緑色に表示されている電子棚札装置に、対応する医薬品の発注量をタッチにより入力し、その入力された発注量がサーバ装置１０に送信される。
【００３４】
在庫通知モードは、所定医薬品の薬品棚の在庫量とサーバ装置１０で管理している在庫量とが同じであるか否かを確認する在庫確認（棚卸）作業を支援する情報処理のモードである。在庫通知モードは、通常モード時に、薬局員が電子棚札装置に所定のリズムでタッチ入力することにより移行される。在庫通知モードにおいて、タッチ入力された電子棚札装置の表示部は、背景が黄色に表示されるものとする。薬局員は、黄色に表示されている電子棚札装置に対応する医薬品の在庫量を確認し、当該電子棚札装置に入力し、その入力された在庫量がサーバ装置１０に送信される。そして、サーバ装置１０により、受信された在庫量と管理されている在庫量とが比較され、その比較結果が前記在庫量送信元の電子棚札装置に通知されて表示される。
【００３５】
次いで、図２を参照して、サーバ装置１０の内部構成を説明する。図２に、サーバ装置１０の機能構成を示す。
【００３６】
サーバ装置１０は、制御手段、指示情報送信手段、完了情報受信手段、在庫量送信手段、発注量受信手段としてのＣＰＵ（Central Processing Unit）１１と、入力部１２と、ＲＡＭ（Random Access Memory）１３と、表示部１４と、識別子記憶手段、在庫量記憶手段としての記憶部１５と、指示情報送信手段、完了情報受信手段、在庫量送信手段、発注量受信手段としての通信部１６と、を備え、各部がバス１７を介して接続されている。
【００３７】
ＣＰＵ１１は、サーバ装置１０の各部を制御する。ＣＰＵ１１は、記憶部１５に記憶されているシステムプログラム及びアプリケーションプログラムのうち、指定されたプログラムを読み出してＲＡＭ１３に展開し、ＲＡＭ１３に展開されたプログラムとの協働で、各種処理を実行する。
【００３８】
ＣＰＵ１１は、電子棚札装置管理プログラムに従い、伝票又は処方箋の情報入力があると、その入力情報に応じた医薬品に対応する電子棚札装置に、補充又は処方する医薬品量及び表示変更指示情報を送信し、医薬品の補充又は処方により記憶している医薬品の在庫量の変更があると、変更後の在庫量を含む在庫量データを作成して電子棚札装置３０Ａ，３０Ｂに送信し、電子棚札装置から発注量、又は在庫量確認時の在庫量の受信があると、発注量に応じた発注処理、又は在庫量の比較を行う。
【００３９】
入力部１２は、各種キー操作入力を受け付けるキーボードを備え、キー操作入力に応じた操作情報をＣＰＵ１１に出力する。また、入力部１２は、マウス等のポインティングデバイスを備え、位置情報の操作入力を受け付けてＣＰＵ１１に出力する構成としてもよい。
【００４０】
ＲＡＭ１３は、情報を一時的に記憶する揮発性のメモリであり、各種データ及びプログラムを格納するワークエリアを有する。
【００４１】
表示部１４は、ＬＣＤ（Liquid Crystal Display）等により構成され、ＣＰＵ１１から入力される表示情報に応じて各種表示を行う。
【００４２】
記憶部１５は、ＨＤＤ（Hard Disk Drive）等により構成され、各種データ及び各種プログラムを読み出し及び書き込み可能に記憶する。記憶部１５には、医薬品棚札割当テーブル４０、医薬品情報テーブル５０及び電子棚札装置管理プログラムが記憶されている。医薬品棚札割当テーブル４０及び医薬品情報テーブル５０は、詳細に後述される。
【００４３】
通信部１６は、ネットワークカード等で構成され、通信ネットワークＮ上の機器（アクセスポイント２０等）との通信を行う。通信部１６により、サーバ装置１０は、通信ネットワークＮ、アクセスポイント２０を介して、電子棚札装置３０Ａ、電子棚札装置３０Ｂと通信が可能である。
【００４４】
次いで、図３を参照して、電子棚札装置３０Ａの内部構成を説明する。ここでは、電子棚札装置３０Ａの内部構成について説明するが、電子棚札装置３０Ｂの内部構成も電子棚札装置３０Ａの内部構成と同様である。図３に、電子棚札装置３０Ａの機能構成を示す。
【００４５】
電子棚札装置３０Ａは、制御手段、指示情報受信手段、完了情報送信手段、在庫量受信手段、発注量送信手段としてのＣＰＵ３１と、入力部３２と、ＲＡＭ３３と、表示部３４と、タイミング情報記憶手段としての記憶部３５と、指示情報受信手段、完了情報送信手段、在庫量受信手段、発注量送信手段としての通信部３６と、検出手段としてのタッチセンサ部３７と、バッテリ３８と、を備える。ＣＰＵ３１、入力部３２、ＲＡＭ３３、表示部３４、記憶部３５、通信部３６及びタッチセンサ部３７は、バス３９を介して接続されている。
【００４６】
ＣＰＵ３１は、電子棚札装置３０Ａの各部を制御する。ＣＰＵ３１は、記憶部３５に記憶されているシステムプログラム及びアプリケーションプログラムのうち、指定されたプログラムを読み出してＲＡＭ３３に展開し、ＲＡＭ３３に展開されたプログラムとの協働で、各種処理を実行する。
【００４７】
ＣＰＵ３１は、情報表示プログラムに従い、サーバ装置１０から在庫量データを受信すると、在庫量データを表示し、同じく伝票又は処方箋の情報を受信すると、表示変更指示情報に応じて表示部３４の表示色（背景色）を変更し、伝票又は処方箋の医薬品量を表示し、同じく在庫量の比較結果を受信すると、その比較結果を表示部３４に表示する。また、ＣＰＵ３１は、タッチセンサ部３７にタッチ入力があると、そのタッチ入力に応じた処理（医薬品の補充又は処方完了の処理、発注量又は在庫量の入力及びサーバ装置１０への送信処理）を行う。
【００４８】
入力部３２は、表示部３４に一体的に構成されるタッチパネルのキーパッドを備え、キー操作入力に応じた操作情報をＣＰＵ３１に出力する。ＲＡＭ３３は、ＲＡＭ１３と同様のメモリである。
【００４９】
表示部３４は、カラーのＬＣＤ、ＥＬＤ（ElectroLuminescent Display）等により構成され、ＣＰＵ３１から入力される表示情報に応じて各種表示を行う。
【００５０】
記憶部３５は、フラッシュメモリ等により構成され、各種データ及び各種プログラムを読み出し及び書き込み可能に記憶する。記憶部３５には、表示情報６０、タッチ設定テーブル７０及び情報表示プログラムが記憶されている。表示情報６０は、表示部３４に表示する情報である。タッチ設定テーブル７０は、詳細に後述される。
【００５１】
通信部３６は、無線通信部であり、無線通信用アンテナ、送信信号の変調部、受信信号の復調部等を備える。通信部３６は、アクセスポイント２０と無線通信を行う。通信部３６により、電子棚札装置３０Ａは、アクセスポイント２０、通信ネットワークＮを介して、サーバ装置１０と通信可能である。
【００５２】
タッチセンサ部３７は、タッチ入力を受け付け、そのタッチ入力情報をＣＰＵ３１に出力する。タッチセンサ部３７は、例えば、表示部３４と別に設けられるものとするが、入力部３２と同じく表示部３４のタッチパネルのキーパッドとして設けられる構成としてもよい。バッテリ３８は、電子棚札装置３０Ａの各部に電源供給を行う。
【００５３】
次に、図４〜図６を参照して、サーバ装置１０、電子棚札装置３０Ａ，３０Ｂに記憶される情報を説明する。図４に、医薬品棚札割当テーブル４０の構成を示す。図５に、医薬品情報テーブル５０の構成を示す。図６に、タッチ設定テーブル７０の構成を示す。
【００５４】
図５を参照して、サーバ装置１０の記憶部１５に記憶される医薬品棚札割当テーブル４０を説明する。医薬品棚札割当テーブル４０は、医薬品と電子棚札装置との割当を行うための情報を有するテーブルである。医薬品棚札割当テーブル４０は、棚札ＩＤ４１と、医薬品ＩＤ４２と、の項目を有する。
【００５５】
棚札ＩＤ４１は、電子棚札装置の識別情報（識別子）である。電子棚札装置３０Ａ，３０Ｂの棚札ＩＤ４１を、順に００１、００２とする。医薬品ＩＤ４２は、棚札ＩＤ４１の電子棚札装置に対応する医薬品（の種類）の識別情報（識別子）である。電子棚札装置３０Ａ，３０Ｂに対応する医薬品の識別情報を、順に１０１、１０２とする。
【００５６】
本実施の形態では、電子棚札装置と、当該電子棚札装置に対応する各医薬品の薬品棚と、が予め固定的に設定されているものとして説明するが、これに限定されるものではなく、各医薬品（薬品棚）と電子棚札装置との対応付けが、適宜変更可能な構成としてもよい。
【００５７】
図５を参照して、サーバ装置１０の記憶部１５に記憶される医薬品情報テーブル５０を説明する。医薬品情報テーブル５０は、医薬品に関する情報を有するテーブルである。医薬品情報テーブル５０は、医薬品ＩＤ５１と、販売価格５２と、発注単位５３と、在庫量５４と、納期５５と、一日平均使用量５６と、の項目を有する。
【００５８】
医薬品ＩＤ５１は、医薬品の識別情報である。販売価格５２は、医薬品ＩＤ５１の商品の販売価格情報である。販売価格５２の単位は、例えば円である。発注単位５３は、医薬品ＩＤ５１の医薬品の発注単位を示す情報である。発注単位５３の単位は、例えば、個とするが、シート、箱等としてもよい。在庫量５４は、薬品棚における医薬品ＩＤ５１の医薬品の在庫量を示す情報である。在庫量５４の単位は、例えば、個とするが、シート、箱等としてもよい。
【００５９】
納期５５は、医薬品ＩＤ５１の医薬品を発注してから納品されるまでの納期を示す情報である。納期５５の単位は、例えば日であるが、時間、週等としてもよい。一日平均使用量５６は、調剤薬局で一日（納期５５の単位）に使用（処方）する医薬品ＩＤ５１の医薬品の量の平均値を示す情報である。一日平均使用量５６の単位は、例えば個であるが、シート、箱等としてもよい。
【００６０】
図６を参照して、電子棚札装置３０Ａ，３０Ｂの記憶部３５に記憶されるタッチ設定テーブル７０を説明する。タッチ設定テーブル７０は、電子棚札装置３０Ａ，３０Ｂのタッチセンサ部３７へのタッチ入力により切替え可能な情報処理モードに関する情報を有するテーブルである。タッチ設定テーブル７０は、タッチタイミング７１と、情報処理モード７２と、の項目を有する。
【００６１】
タッチタイミング７１は、情報処理モード７２に対応する情報処理モードに切替えるためのタッチタイミングを示す。タッチタイミング７１は、例えば、所定時間（２秒等）内のタッチ入力回数で表される。
【００６２】
情報処理モード７２は、タッチタイミング７１のタッチ入力により切替え可能な情報処理モードの種類を示す。情報処理モード７２は、発注モードと、在庫通知モードと、を有する。
【００６３】
次に、図７〜図１０を参照して、調剤支援システム１の動作を説明する。図７に、サーバ装置１０で実行される電子棚札装置管理処理の流れを示す。図８に、電子棚札装置管理処理の受信処理の流れを示す。図９に、電子棚札装置３０Ａで実行される情報表示処理の流れを示す。図１０に、情報表示処理のタッチ検知処理の流れを示す。
【００６４】
先ず、図７及び図８を参照して、サーバ装置１０で実行される電子棚札装置管理処理を説明する。電子棚札装置管理処理は、情報処理モードを適宜切り替えて、電子棚札装置３０Ａ，３０Ｂの表示、及び記憶部１５に記憶されている医薬品に関する情報を管理する処理である。
【００６５】
サーバ装置１０において、例えば、入力部１２を介して電子棚札装置管理処理の実行指示が入力されたことをトリガとして、記憶部１５から読み出されて適宜ＲＡＭ１３に展開された電子棚札装置管理プログラムと、ＣＰＵ１１との協働により、電子棚札装置管理処理が実行される。
【００６６】
先ず、医薬品の納品の伝票の伝票情報が、入力部１２を介して入力されたか否かが判別される（ステップＳ１１）。伝票情報には、伝票を識別する伝票ＩＤ、納品された医薬品の医薬品ＩＤ及び数量（医薬品量）が含まれる。伝票情報が入力された場合（ステップＳ１１；ＹＥＳ）、記憶部１５に記憶されている医薬品棚札割当テーブル４０が参照され、入力された伝票情報の医薬品ＩＤに対応する棚札ＩＤ４１が取得される（ステップＳ１２）。
【００６７】
そして、伝票情報の伝票ＩＤと、医薬品の医薬品量と、青色への表示変更指示情報とが、通信部１６、通信ネットワークＮ及びアクセスポイント２０を介して、ステップＳ１２で取得された棚札ＩＤに対応する電子棚札装置に送信され（ステップＳ１３）、ステップＳ１１に移行される。
【００６８】
伝票情報が入力されていない場合（ステップＳ１１；ＮＯ）、患者の処方箋の処方箋情報が、入力部１２を介して入力されたか否かが判別される（ステップＳ１４）。処方箋情報には、処方箋を識別する処方箋ＩＤ、処方する医薬品の医薬品ＩＤ及び数量（医薬品量）が含まれる。処方箋情報が入力された場合（ステップＳ１４；ＹＥＳ）、記憶部１５に記憶されている医薬品棚札割当テーブル４０が参照され、入力された処方箋情報の医薬品ＩＤに対応する棚札ＩＤ４１が取得される（ステップＳ１５）。
【００６９】
そして、処方箋情報の処方箋ＩＤと、医薬品量と、赤色への表示変更指示情報とが、通信部１６、通信ネットワークＮ及びアクセスポイント２０を介して、ステップＳ１５で取得された棚札ＩＤに対応する電子棚札装置に送信され（ステップＳ１６）、ステップＳ１１に移行される。
【００７０】
処方箋情報が入力されていない場合（ステップＳ１４；ＮＯ）、医薬品情報テーブル５０が参照され、在庫量５４及び発注単位５３が未送信又は変化があり、在庫量に関する在庫量データを電子棚札装置３０Ａ，３０Ｂに送信するか否かが判別される（ステップＳ１７）。在庫量データとは、電子棚札装置３０Ａ又は３０Ｂに対応する薬品棚の医薬品の現在の在庫量、管理在庫量、発注単位である。
【００７１】
在庫量データを送信する場合（ステップＳ１７；ＹＥＳ）、全電子棚札装置の在庫量データが送信されたか否かが判別される（ステップＳ１８）。全電子棚札装置の在庫量データが送信された場合（ステップＳ１８；ＹＥＳ）、ステップＳ１１に移行される。
【００７２】
全電子棚札装置の在庫量データが送信されていない場合（ステップＳ１８；ＮＯ）、未選択の電子棚札装置が一つ選択される（ステップＳ１９）。そして、記憶部１５に記憶されている医薬品棚札割当テーブル４０及び医薬品情報テーブル５０が参照され、ステップＳ１９で選択された電子棚札装置に対応する在庫量データが作成され、当該作成された在庫量データが、通信部１６、通信ネットワークＮ及びアクセスポイント２０を介して、選択中の電子棚札装置に送信され（ステップＳ２０）、ステップＳ１８に移行される。
【００７３】
ステップＳ２０では、選択された電子棚札装置に対応する棚札ＩＤ４１に対応する医薬品ＩＤ４２が選択され、医薬品情報テーブル５０において、選択された医薬品ＩＤ４２に対応する医薬品ＩＤ５１の行が選択される。そして、選択行の在庫量５４、発注単位５３が取得され、管理在庫量が、選択行の在庫量５４−納期５５×一日平均使用量５６により算出され、取得及び算出された在庫量、管理在庫量、発注単位５３が在庫量データとされる。
【００７４】
在庫量データを送信しない場合（ステップＳ１７；ＮＯ）、各種データが、アクセスポイント２０、通信ネットワークＮ及び通信部１６を介して、電子棚札装置から受信されたか否かが判別される（ステップＳ２１）。データが受信された場合（ステップＳ２１；ＹＥＳ）、受信処理が実行され（ステップＳ２２）、ステップＳ１１に移行される。ステップＳ２２の受信処理は、詳細に後述される。
【００７５】
データが受信されない場合（ステップＳ２１；ＮＯ）、入力部１２を介する電子棚札装置管理処理の終了指示入力に応じて、電子棚札装置管理処理を終了するか否かが判別される（ステップＳ２３）。電子棚札装置管理処理を終了しない場合（ステップＳ２３；ＮＯ）、ステップＳ１１に移行される。電子棚札装置管理処理を終了する場合（ステップＳ２３；ＹＥＳ）、電子棚札装置管理処理が終了する。
【００７６】
図８を参照して、ステップＳ２２の受信処理を説明する。先ず、ステップＳ２１で受信装置に受信されたデータが発注量であるか否かが判別される（ステップＳ２２１）。発注量は、発注する医薬品の数量である。発注量である場合（ステップＳ２２１；ＹＥＳ）、発注処理が実行され（ステップＳ２２２）、受信処理が終了する。
【００７７】
ステップＳ２２２の発注処理では、例えば、受信された発注量が表示部１４に表示され、それを参照した管理者による医薬品の発注実行指示入力に応じて、発注量送信元の電子棚札装置に対応する医薬品の発注量分の発注用データが作成され、この発注用データが薬品会社のサーバ（図示略）に送信されて、医薬品の発注がなされる。
【００７８】
発注量でない場合（ステップＳ２２１；ＮＯ）、ステップＳ２１で受信装置に受信されたデータが補充済情報又は処方済情報であるか否かが判別される（ステップＳ２２３）。補充済情報は、伝票の医薬品を薬品棚に補充完了したことを示す情報であり、補充した薬品に対応する伝票の伝票ＩＤを含む。処方済情報は、処方箋の薬品を処方完了した（患者に手渡した）ことを示す情報であり、処方した薬品に対応する処方箋の処方箋ＩＤを含む。補充済情報又は処方済情報である場合（ステップＳ２２３；ＹＥＳ）、補充済情報又は処方済情報に応じて、医薬品情報テーブル５０の在庫量５４が変更され（ステップＳ２２４）、受信処理が終了する。
【００７９】
ステップＳ２２４では、補充済情報が受信された場合に、補充済情報送信元の電子棚札装置の棚札ＩＤに対応する医薬品ＩＤ５１の在庫量５４から、補充済情報の伝票ＩＤに対応するステップＳ１１で入力された伝票情報の医薬品量が加算されて変更される。また、ステップＳ２２４では、処方済情報が受信された場合に、処方済情報送信元の電子棚札装置の棚札ＩＤに対応する医薬品ＩＤ５１の在庫量５４から、処方済情報の処方箋ＩＤに対応するステップＳ１４で入力された処方箋情報の医薬品量が減算されて変更される。
【００８０】
補充済情報又は処方済情報でない場合（ステップＳ２２３；ＮＯ）、ステップＳ２１で受信装置に受信されたデータが在庫量であるか否かが判別される（ステップＳ２２５）。在庫量でない場合（ステップＳ２２５；ＮＯ）、受信処理が終了する。
【００８１】
在庫量である場合（ステップＳ２２５；ＹＥＳ）、在庫量送信元の電子棚札装置の棚札ＩＤに対応する医薬品ＩＤ５１の在庫量５４と、ステップＳ２１で受信された在庫量とが比較される（ステップＳ２２６）。そして、ステップＳ２２６の比較結果が、通信部１６、通信ネットワークＮ及びアクセスポイント２０を介して、在庫量送信元の電子棚札装置に送信され（ステップＳ２２７）、受信処理が終了する。
【００８２】
次に、図９及び図１０を参照して、電子棚札装置３０Ａで実行される情報表示処理を説明する。情報表示処理は、情報処理モードの切り替えに対応して表示色を切り替えて、各種情報を表示し、各種情報入力を受け付ける処理である。ここでは、電子棚札装置３０Ａで実行される情報表示処理を説明するが、電子棚札装置３０Ｂでも同様である。
【００８３】
電子棚札装置３０Ａにおいて、例えば、電源入力されたことをトリガとして、記憶部３５から読み出されて適宜ＲＡＭ３３に展開された情報表示プログラムと、ＣＰＵ３１との協働により、情報表示処理が実行される。
【００８４】
先ず、通信ネットワークＮ、アクセスポイント２０及び通信部３６を介して、各種情報がサーバ装置１０から受信されたか否かが判別される（ステップＳ３１）。各種情報が受信された場合（ステップＳ３１；ＹＥＳ）、ステップＳ３１で受信された情報が、電子棚札装置管理処理のステップＳ２０に対応する在庫量データであるか否かが判別される（ステップＳ３２）。
【００８５】
在庫量データである場合（ステップＳ３２；ＹＥＳ）、受信された在庫量データの在庫量、管理在庫量、発注単位が、記憶部３５に記憶されている表示情報６０内に記憶され（ステップＳ３３）、ステップＳ３１に移行される。
【００８６】
在庫量データでない場合（ステップＳ３２；ＮＯ）、ステップＳ３１で受信された情報が、電子棚札装置管理処理のステップＳ１３、Ｓ１６に対応する伝票の情報又は処方箋の情報であるか否かが判別される（ステップＳ３４）。伝票の情報又は処方箋の情報である場合（ステップＳ３４；ＹＥＳ）、伝票の情報の伝票ＩＤ及び補充する医薬品量、又は処方箋の情報の処方箋ＩＤ及び処方する医薬品量が、表示情報６０内に記憶される（ステップＳ３５）。そして、伝票の情報又は処方箋の情報の表示変更指示情報に応じて、表示部３４の表示色（背景色）が、青（伝票モード）又は赤（処方箋モード）に変更設定され（ステップＳ３６）、ステップＳ３１に移行される。
【００８７】
伝票の情報又は処方箋の情報でない場合（ステップＳ３４；ＮＯ）、ステップＳ３１で受信された情報が、電子棚札装置管理処理のステップＳ２２７に対応する在庫量の比較結果であるか否かが判別される（ステップＳ３７）。在庫量の比較結果でない場合（ステップＳ３７；ＮＯ）、ステップＳ３１に移行される。在庫量の比較結果である場合（ステップＳ３７；ＹＥＳ）、受信された在庫量の比較結果が表示部３４に表示され（ステップＳ３８）、ステップＳ３１に移行される。
【００８８】
各種情報が受信されていない場合（ステップＳ３１；ＮＯ）、表示情報６０が参照され、表示情報６０に変更が発生したことに応じた表示処理を行うか否かが判別される（ステップＳ３９）。表示処理を行う場合（ステップＳ３９；ＹＥＳ）、表示情報６０が表示部３４に表示され（ステップＳ４０）、ステップＳ３１に移行される。ステップＳ４０では、ステップＳ３６，Ｓ４２４で表示色が変更設定されている場合、その変更設定されている表示色で表示部３４に表示がなされる。
【００８９】
表示情報６０が変更されていなく表示処理を行わない場合（ステップＳ３９；ＮＯ）、タッチセンサ部３７により薬局員からのタッチ入力が検知されたか否かが判別される（ステップＳ４１）。このタッチ入力は、１回のタッチ、又は所定時間内の複数回のタッチ入力である。
【００９０】
タッチ入力が検知されていない場合（ステップＳ４１；ＮＯ）、ステップＳ３１に移行される。タッチ入力が検知された場合（ステップＳ４１；ＹＥＳ）、タッチ検知処理が実行され（ステップＳ４２）、ステップＳ３１に移行される。
【００９１】
図１０を参照して、ステップＳ４２のタッチ検知処理を説明する。先ず、表示部３４の表示色が青（伝票モード）又は赤（処方箋モード）に変更中であるか否かが判別される（ステップＳ４２１）。表示部３４の表示色が変更中である場合（ステップＳ４２１；ＹＥＳ）、タッチ入力が一回のタッチ入力であり、表示部３４に表示中の色が赤であるか否かが判別される（ステップＳ４２２）。
【００９２】
表示部３４の表示色が赤である場合（ステップＳ４２２；ＹＥＳ）、電子棚札装置管理処理のステップＳ２２３に対応して、表示情報６０に記憶されている処方箋ＩＤを含む処方済情報が作成され、通信部３６、アクセスポイント２０及び通信ネットワークＮを介して、作成した処方済情報がサーバ装置１０に送信される（ステップＳ４２３）。なお、ステップＳ４２３で、表示情報６０に記憶されている処方済の処方箋に関する情報が削除される。そして、表示部３４の表示色（背景色）が、通常色に変更設定され（ステップＳ４２４）、タッチ検知処理が終了する。
【００９３】
表示部３４の表示色が青である場合（ステップＳ４２２；ＮＯ）、電子棚札装置管理処理のステップＳ２２３に対応して、表示情報６０に記憶されている伝票ＩＤを含む補充済情報が作成され、通信部３６、アクセスポイント２０及び通信ネットワークＮを介して、作成した補充済情報がサーバ装置１０に送信され（ステップＳ４２５）、ステップＳ４２４に移行される。なお、ステップＳ４２５で、表示情報６０に記憶されている医薬品補充済の伝票に関する情報が削除される。
【００９４】
表示部３４の表示色が変更中でない場合（ステップＳ４２１；ＮＯ）、タッチ入力が所定時間内の複数回のタッチ入力であり、記憶部３５に記憶されているタッチ設定テーブル７０が参照され、ステップＳ４１で検知したタッチ入力のタイミングが、タッチタイミング７１に一致するか否かが判別される（ステップＳ４２６）。タッチタイミング７１に一致しない場合（ステップＳ４２６；ＮＯ）、タッチ検知処理が終了する。
【００９５】
タッチタイミング７１に一致する場合（ステップＳ４２６；ＹＥＳ）、一致するタッチタイミング７１の情報処理モード７２が発注モードであるか否かが判別される（ステップＳ４２７）。
【００９６】
発注モードである場合（ステップＳ４２７；ＹＥＳ）、表示部３４の表示色（背景色）が、発注モードに対応する緑色に変更設定される（ステップＳ４２８）。そして、タッチセンサ部３７により薬局員からのタッチ入力が検知されたか否かが判別される（ステップＳ４２９）。タッチ入力が検知されていない場合（ステップＳ４２９；ＮＯ）、ステップＳ４２９に移行される。このタッチ入力の回数は、１発注単位毎に１回となる少なくとも１回のタッチ回数となる。
【００９７】
タッチ入力が検知された場合（ステップＳ４２９；ＹＥＳ）、検知されたタッチ回数に応じて、医薬品の発注量が、タッチ回数×発注単位として算出されて決定される（ステップＳ４３０）。そして、電子棚札装置管理処理のステップＳ２２１に対応して、ステップＳ４３０で決定された発注量が、通信部３６、アクセスポイント２０及び通信ネットワークＮを介して、サーバ装置１０に送信され（ステップＳ４３１）、ステップＳ４２４に移行される。
【００９８】
発注モードでない場合（ステップＳ４２７；ＮＯ）、表示部３４の表示色（背景色）が、在庫通知モードに対応する黄色に変更設定される（ステップＳ４３２）。そして、在庫量入力画面が表示部３４に表示される（ステップＳ４３３）。在庫量入力画面は、在庫量として、在庫量の単位あたりの数字、及びその単位（個、シート等）のタッチ入力を受け付ける画面である。
【００９９】
そして、入力部３２を介して、在庫量入力画面に対応する在庫量のタッチ入力が受け付けられる（ステップＳ４３４）。そして、電子棚札装置管理処理のステップＳ２２５に対応して、ステップＳ４３４で入力された在庫量が、通信部３６、アクセスポイント２０及び通信ネットワークＮを介して、サーバ装置１０に送信され（ステップＳ４３５）、ステップＳ４２４に移行される。
【０１００】
以上、本実施の形態の調剤支援システム１によれば、電子棚札装置３０Ａ，３０Ｂは、タッチセンサ部３７に入力されたタッチ入力のタイミングと、記憶部３５に記憶されているタッチ設定テーブル７０のタッチタイミング７１とが一致するか否かを判別し、一致する場合に、一致したタッチタイミング７１に対応する情報処理モードである発注モード又は在庫通知モードに切り替えて、切り替えたモードの情報処理を行う。このため、電子棚札装置へのタッチタイミングに応じて、作業支援をする情報処理の切り替えを容易にできる。さらに、作業を支援するアイテムとして、ＰＤＡ（Personal Digital Assistant）や、ハンディーターミナルを薬局員が持たなくてもよく、薬局員の作業負担を軽減できる。
【０１０１】
また、サーバ装置１０は、伝票情報が入力された場合に、補充する医薬品量及び青の表示変更指示情報を、補充する医薬品の医薬品ＩＤ４２に対応する棚札ＩＤ４１の電子棚札装置に送信する。加えて、サーバ装置１０は、処方箋情報が入力された場合に、処方する医薬品量及び赤の表示変更指示情報を、処方する医薬品の医薬品ＩＤ４２に対応する棚札ＩＤ４１の電子棚札装置に送信する。電子棚札装置３０Ａ，３０Ｂは、サーバ装置１０から補充する医薬量及び青の表示変更指示情報を受信すると、表示部３４の表示色を青に変更して補充する医薬品量を表示し、サーバ装置１０から処方する医薬量及び赤の表示変更指示情報を受信すると、表示部３４の表示色を赤に変更して処方する医薬品量を表示する。このため、サーバ装置１０の指示に応じて、表示部３４の表示色を情報処理モードに対応する表示色に自動的に変更でき、電子棚札装置を参照することで、薬局員が処理対象の電子棚札装置及び情報処理モードを視覚により容易に認識できる。
【０１０２】
また、電子棚札装置３０Ａ，３０Ｂは、表示部３４の表示色を青又は赤に変更中に、タッチセンサ部３７へのタッチ入力を受け付けると、表示部３４の表示色を通常に変更する。このため、電子棚札装置を参照することで、薬局員が医薬品の補充又は処方の終了を目視により容易に確認できる。
【０１０３】
また、電子棚札装置３０Ａ，３０Ｂは、表示部３４の表示色を青又は赤に変更中に、タッチセンサ部３７へのタッチ入力を受け付けると、補充済情報又は処方済情報をサーバ装置１０に送信する。サーバ装置１０は、補充済情報又は処方済情報を電子棚札装置から受信すると、その補充済情報又は処方済情報に対応する補充又は処方の医薬品量で、記憶部１５に記憶されている医薬品情報テーブル５０の在庫量５４を変更する。このため、医薬品の補充又は処方の終了に応じて、サーバ装置１０側で管理している医薬品の在庫量を自動的に更新できる。
【０１０４】
また、サーバ装置１０は、医薬品情報テーブル５０の在庫量５４、納期５５、一日平均使用量５６から、管理在庫量（在庫量５４−納期５５×一日平均使用量５６）を算出し、在庫量５４、管理在庫量及び発注単位５３を、電子棚札装置３０Ａ，３０Ｂに送信する。電子棚札装置３０Ａ，３０Ｂは、サーバ装置１０から在庫量、管理在庫量及び発注単位を受信して表示部３４に表示する。そして、電子棚札装置３０Ａ，３０Ｂは、タッチセンサ部３７へのタッチ入力により、情報処理モードが発注モードにされると、表示部３４の表示色を緑にし、発注単位毎のタッチセンサ部３７へのタッチ入力回数に応じて、発注量（＝発注単位×タッチ入力回数）を算出してサーバ装置１０に送信する。そして、サーバ装置１０は、電子棚札装置から発注量を受信し、この発注量に応じて発注処理を実行する。
【０１０５】
このため、発注作業時に、薬局員は、電子棚札装置に表示された管理在庫量を参照することで、管理在庫量が、０以下になる等、少なくなっている場合に、納期を考慮した医薬品の発注タイミングを容易に判断することができる。また、発注単位に応じたタッチ入力により、医薬品の発注量の入力を正確に行うことができる。従って、作業に不慣れな薬局員でも容易に発注作業を行うことができる。
【０１０６】
また、電子棚札装置３０Ａ，３０Ｂは、タッチセンサ部３７へのタッチ入力により、情報処理モードが在庫量通知モードにされると、表示部３４の表示色を黄色にし、入力部３２へのタッチ入力に応じて、在庫量を取得してサーバ装置１０に送信する。そして、サーバ装置１０は、在庫量を受信すると、受信在庫量と記憶している在庫量５４とを比較し、その比較結果を電子棚札装置に送信する。送信された電子棚札装置は、在庫量の比較結果を受信して表示部３４に表示する。このため、在庫量確認作業時に、薬局員は、確認した在庫量を電子棚札装置に容易に入力でき、この電子棚札装置を参照することで、確認した在庫量とサーバ装置１０に記憶されている在庫量との比較結果を容易に確認できる。
【０１０７】
なお、上記実施の形態における記述は、本発明に係る電子棚札装置、サーバ装置及びプログラムの一例であり、これに限定されるものではない。
【０１０８】
例えば、上記実施の形態では、情報処理モードとして、通常モード、付箋紙モード（伝票モード、処方箋モード）、発注モード、在庫量確認モードを設けたが、これに限定するものではない。
【０１０９】
また、上記実施の形態では、通常モードが、他のモードへの移行を待機するモードであるとしたが、これに限定されるものではない。例えば、通常モードにおいて、電子棚札装置３０Ａ，３０Ｂでタッチセンサ部３７によりタッチ入力を受け付けると、表示部３４の表示色を変更して目印が付けられる構成としてもよい。例えば、通常モードにおいて、表示部３４の表示色を、タッチ毎に、通常色→オレンジ色→通常色→…や、通常色→オレンジ色→紫色→通常色→…等の循環パターンで目印が付けられるものとしてもよい。
【０１１０】
また、上記実施の形態では、情報処理モードに応じて、表示部３４の表示色を変更する構成としたが、これに限定されるものではない。例えば、情報処理モードに応じて、表示部３４の点灯（点滅）パターンを変更する構成としてもよい。
【０１１１】
また、上記実施の形態の調剤支援システム１において、処方箋に対応する薬品棚からの医薬品の取り出しに過誤があった場合に、その過誤の旨を、電子棚札装置に表示させる構成としてもよい。例えば、調剤支援システム１において、処方する医薬品に対応する電子棚札装置３０Ａに処方箋の情報（処方箋ＩＤ、処方する医薬品量）が表示され、薬局員が処方箋を参照して薬品棚からの医薬品を取り出し、表示情報と処方箋に記載の情報とが異なる場合に、処方箋の入力情報にミスがある旨の過誤情報がサーバ装置１０に登録（入力及び記憶）される。また、取り出された医薬品を別の薬局員が処方箋と比べて監査し、取り出された医薬品と処方箋に記載の医薬品の情報とが異なる場合に、薬局員の取り出しにミスがある旨の過誤情報がサーバ装置１０に登録される。過誤情報には、過誤の理由と、過誤登録日時との情報が含まれる。そして、処方箋の情報を電子棚札装置３０Ａに表示させる場合に、サーバ装置１０に記憶されている過誤情報に応じて、過誤日時から所定期間内のみ、過誤理由を電子棚札装置３０Ａに表示させ、且つ電子棚札装置３０Ａの表示部３４の表示色を明るい赤色又は別の色等にしたり、表示部３４の表示パターンを変更（点滅表示等）させたりする構成としてもよい。さらに、調剤支援システム１において、伝票に対応する薬品棚への医薬品の補充に過誤があった場合に、その過誤の旨を、電子棚札装置に表示させる構成としてもよい。
【０１１２】
また、上記実施の形態では、表示部３４が、カラーの表示部であるとし、情報処理モードに応じた背景色の変更が可能な構成としたが、これに限定されるものではない。例えば、表示部３４が、情報処理モードに応じて文字色等を変更可能な構成としてもよい。他にも、表示部３４が、カラー発光可能なバックライトを備えるＬＣＤであるとし、情報処理モードに応じたバックライトの発光色の変更が可能な構成としてもよい。
【０１１３】
また、上記実施の形態において、通常モード以外の情報処理モード時に、例えば対応する作業をキャンセルする場合、電子棚札装置のタッチセンサ部３７に所定のタッチタイミングでタッチ入力を行うことにより、通常モードへ移行（表示部３４の表示色も通常色に戻す）する構成としてもよい。
【０１１４】
また、以上の説明では、本発明に係るプログラムのコンピュータ読み取り可能な媒体として、記憶部１５，３５を使用した例を開示したが、この例に限定されない。
その他のコンピュータ読み取り可能な媒体として、ＣＤ-ＲＯＭ等の可搬型記録媒体を適用することが可能である。
また、本発明に係るプログラムのデータを通信回線を介して提供する媒体として、
キャリアウエーブ(搬送波)も本発明に適用される。
【０１１５】
また、上記実施の形態における調剤支援システム１の各構成要素の細部構成及び細部動作に関しては、本発明の趣旨を逸脱することのない範囲で適宜変更可能であることは勿論である。
【符号の説明】
【０１１６】
１  調剤支援システム
１０  サーバ装置
１１  ＣＰＵ
１２  入力部
１３  ＲＡＭ
１４  表示部
１５  記憶部
１６  通信部
１７  バス
２０  アクセスポイント
３０Ａ，３０Ｂ  電子棚札装置
３１  ＣＰＵ
３２  入力部
３３  ＲＡＭ
３４  表示部
３５  記憶部
３６  通信部
３７  タッチセンサ部
３８  バッテリ
３９  バス
【図１】
2010224747.tif 000003
【図２】
2010224747.tif 000004
【図３】
2010224747.tif 000005
【図４】
2010224747.tif 000006
【図５】
2010224747.tif 000007
【図６】
2010224747.tif 000008
【図７】
2010224747.tif 000009
【図８】
2010224747.tif 000010
【図９】
2010224747.tif 000011
【図１０】
2010224747.tif 000012